(57)【要約】【課題】遅延発光型ＬＥＤなどを用いた場合における色割れの発生を抑制することができる技術を提供する。【解決手段】本発明の表示装置は、光源部と、前記光源部から発せられた光を入力画像データに基づいて変調することにより、画面に画像を表示する表示部と、前記光源部を点灯する点灯制御を行う制御手段と、を有し、前記光源部は、前記点灯制御に応じた第１タイミングで第１色の光を発し、且つ、前記第１タイミングから所定時間だけ遅延した第２タイミングで第２色の光を発し、前記点灯制御に応じて前記光源部が前記第１色の光を発する期間の少なくとも一部が他の点灯制御に応じて前記光源部が前記第２色の光を発する期間の少なくとも一部に重なるように、前記制御手段は前記所定時間に基づいて複数回の点灯制御を行う。【選択図】図１
2018132692.tif 000002
【特許請求の範囲】
【請求項１】
光源部と、
前記光源部から発せられた光を入力画像データに基づいて変調することにより、画面に画像を表示する表示部と、
前記光源部を点灯する点灯制御を行う制御手段と、
を有し、
前記光源部は、前記点灯制御に応じた第１タイミングで第１色の光を発し、且つ、前記第１タイミングから所定時間だけ遅延した第２タイミングで第２色の光を発し、
前記点灯制御に応じて前記光源部が前記第１色の光を発する期間の少なくとも一部が他の点灯制御に応じて前記光源部が前記第２色の光を発する期間の少なくとも一部に重なるように、前記制御手段は前記所定時間に基づいて複数回の点灯制御を行う
ことを特徴とする表示装置。
【請求項２】
前記制御手段は、前記所定時間と略等しい時間間隔で前記複数回の点灯制御を行う
ことを特徴とする請求項１に記載の表示装置。
【請求項３】
複数の光源部と、
前記複数の光源部から発せられた光を入力画像データに基づいて変調することにより、画像を表示する表示部と、
前記複数の光源部のそれぞれについて、前記光源部を点灯する点灯制御を行う制御手段と、
を有し、
前記複数の光源部のそれぞれは、前記点灯制御に応じた第１タイミングで第１色の光を発し、且つ、前記第１タイミングから所定時間だけ遅延した第２タイミングで第２色の光を発し、
前記複数の光源部のうちの第１光源部が前記第１色の光を発する期間の少なくとも一部が、前記複数の光源部のうちの、前記第１光源部に対応する画面領域へ漏れる光を発する第２光源部が前記第２色の光を発する期間の少なくとも一部に重なり、且つ、前記第１光源部が前記第２色の光を発する期間の少なくとも一部が、前記第２光源部が前記第１色の光を発する期間の少なくとも一部に重なるように、前記制御手段は前記所定時間に基づいて前記第１光源部に対する複数回の点灯制御と前記第２光源部に対する複数回の点灯制御とを行う
ことを特徴とする表示装置。
【請求項４】
前記第１光源部に対する点灯制御と前記第２光源部に対する点灯制御との時間間隔が前記所定時間と略一致するように、前記制御手段は前記第１光源部に対する前記複数回の点灯制御と前記第２光源部に対する前記複数回の点灯制御とを行う
ことを特徴とする請求項３に記載の表示装置。
【請求項５】
前記第１光源部に対する点灯制御と前記第２光源部に対する点灯制御との時間間隔が前記所定時間と略一致し、且つ、
前記第１光源部に対するＭ＋１回目（Ｍは偶数）の点灯制御のタイミングから前記所定時間と略等しい時間だけ遡ったタイミングで前記第２光源部に対するＭ回目の点灯制御が行われるように、
前記制御手段は前記第１光源部に対する前記複数回の点灯制御と前記第２光源部に対する前記複数回の点灯制御とを行う
ことを特徴とする請求項３または４に記載の表示装置。
【請求項６】
前記第１光源部に対する点灯制御に応じて前記第１光源部が前記第１色の光を発する期
間の少なくとも一部が、前記第２光源部が前記第２色の光を発する期間の少なくとも一部、または、前記第１光源部に対する他の点灯制御に応じて前記第１光源部が前記第２色の光を発する期間の少なくとも一部に重なり、且つ、
前記第１光源部に対する点灯制御に応じて前記第１光源部が前記第２色の光を発する期間の少なくとも一部が、前記第２光源部が前記第１色の光を発する期間の少なくとも一部、または、前記第１光源部に対する他の点灯制御に応じて前記第１光源部が前記第１色の光を発する期間の少なくとも一部に重なるように、
前記制御手段は前記第１光源部に対する前記複数回の点灯制御と前記第２光源部に対する前記複数回の点灯制御とを行う
ことを特徴とする請求項３〜５のいずれか１項に記載の表示装置。
【請求項７】
前記第１光源部に対応する画面領域において、前記第１光源部から発せられた光と、前記第２光源部から漏れ込んだ光とを合成した合成光における、前記第１色の光と前記第２色の光との割合が略一定に保たれるように、前記制御手段は前記第１光源部の点灯と前記第２光源部の点灯との少なくとも一方を制御する
ことを特徴とする請求項３〜６のいずれか１項に記載の表示装置。
【請求項８】
前記第１光源部と前記第２光源部は互いに隣接する
ことを特徴とする請求項３〜７のいずれか１項に記載の表示装置。
【請求項９】
前記光源部は、１つの発光素子である
ことを特徴とする請求項１〜８のいずれか１項に記載の表示装置。
【請求項１０】
前記第１色と前記第２色は、白色を構成する２つの色成分にそれぞれ対応する
ことを特徴とする請求項１〜９のいずれか１項に記載の表示装置。
【請求項１１】
前記第１色はシアン色であり、
前記第２色は赤色である
ことを特徴とする請求項１〜１０のいずれか１項に記載の表示装置。
【請求項１２】
前記制御手段は、各フレームについて前記複数回の点灯制御を行う
ことを特徴とする請求項１〜１１のいずれか１項に記載の表示装置。
【請求項１３】
光源部と、
前記光源部から発せられた光を入力画像データに基づいて変調することにより、画面に画像を表示する表示部と、
を有する表示装置の制御方法であって、
前記光源部を点灯する点灯制御を行う制御ステップを有し、
前記光源部は、前記点灯制御に応じた第１タイミングで第１色の光を発し、且つ、前記第１タイミングから所定時間だけ遅延した第２タイミングで第２色の光を発し、
前記制御ステップでは、前記点灯制御に応じて前記光源部が前記第１色の光を発する期間の少なくとも一部が他の点灯制御に応じて前記光源部が前記第２色の光を発する期間の少なくとも一部に重なるように、前記所定時間に基づいて複数回の点灯制御を行う
ことを特徴とする表示装置の制御方法。
【請求項１４】
複数の光源部と、
前記複数の光源部から発せられた光を入力画像データに基づいて変調することにより、画像を表示する表示部と、
を有する表示装置の制御方法であって、
前記複数の光源部のそれぞれについて、前記光源部を点灯する点灯制御を行う制御ステ
ップを有し、
前記複数の光源部のそれぞれは、前記点灯制御に応じた第１タイミングで第１色の光を発し、且つ、前記第１タイミングから所定時間だけ遅延した第２タイミングで第２色の光を発し、
前記制御ステップでは、前記複数の光源部のうちの第１光源部が前記第１色の光を発する期間の少なくとも一部が、前記複数の光源部のうちの、前記第１光源部に対応する画面領域へ漏れる光を発する第２光源部が前記第２色の光を発する期間の少なくとも一部に重なり、且つ、前記第１光源部が前記第２色の光を発する期間の少なくとも一部が、前記第２光源部が前記第１色の光を発する期間の少なくとも一部に重なるように、前記所定時間に基づいて前記第１光源部に対する複数回の点灯制御と前記第２光源部に対する複数回の点灯制御とを行う
ことを特徴とする表示装置の制御方法。
【請求項１５】
請求項１３または１４に記載の表示装置の制御方法の各ステップをコンピュータに実行させるためのプログラム。
【発明の詳細な説明】
【技術分野】
【０００１】
本発明は、表示装置及びその制御方法に関する。
【背景技術】
【０００２】
ホールド型発光を行う表示装置では、動画における移動物体の尾引きが知覚（表示）されることがある。移動物体の尾引きは、「動画ぼけ」などと呼ばれる。液晶表示装置の動画ぼけを低減するための技術として、バックライトユニットのインパルス型発光を行う技術が提案されている。このような技術は、「バックライトスキャン」などと呼ばれる。バックライトスキャンでは、１フレーム期間内に黒画像の表示期間が挿入される。そのため、バックライトスキャンは、「黒挿入」などとも呼ばれる。
【０００３】
ここで、バックライトユニットの発光素子（光源）として、高演色型白色ＬＥＤが使用されることがある。例えば、高演色型白色ＬＥＤは、赤色蛍光体の発光がシアン色蛍光体の発光に対して遅延するという特性を有するＬＥＤ（発光ダイオード）である。そのような高演色型白色ＬＥＤに電流が供給されると、高演色型白色ＬＥＤはシアン色の光を発する。そして、高演色型白色ＬＥＤは、シアン色の発光から遅れて赤色の光を発する。シアン色の光と赤色の光が時間積算されることにより、人間は、高演色型白色ＬＥＤの発光色として白色を知覚することができる。高演色型白色ＬＥＤは、「遅延発光型ＬＥＤ」などとも呼ばれる。
【０００４】
上述したように、高演色型白色ＬＥＤでは、シアン色の発光に対して赤色の発光が遅れる。そのため、高演色型白色ＬＥＤを有するバックライトユニットのバックライトスキャンを行うと、シアン色の発光期間において、移動物体が、赤色の発光期間における色と異なる色で表示される。そして、互いに異なる複数の表示色の時間積算により、移動物体の色割れが知覚（表示）されてしまう。同様に、発光色が互いに異なる複数のＬＥＤが互いに異なる複数のタイミングでそれぞれ発光するバックライトスキャンを行った場合にも、色割れが発生してしまう。
【０００５】
上記色割れの発生を抑制するための技術は、例えば、特許文献１に開示されている。特許文献１に開示の技術では、一方のＬＥＤの発光期間の中心が他方のＬＥＤの発光期間の中心に一致するように、発光色が互いに異なる２のＬＥＤの発光が制御される。
【先行技術文献】
【特許文献】
【０００６】
【特許文献１】特開２００７−３１６６１０号公報
【発明の概要】
【発明が解決しようとする課題】
【０００７】
しかしながら、シアン色の発光と赤色の発光を個別に制御できない高演色型白色ＬＥＤに対しては、特許文献１に記載の技術を適用することはできない。そのため、特許文献１に開示の技術では、遅延発光型ＬＥＤなどを用いた場合における色割れの発生を抑制することができない。
【０００８】
本発明は、遅延発光型ＬＥＤなどを用いた場合における色割れの発生を抑制することができる技術を提供することを目的とする。
【課題を解決するための手段】
【０００９】
本発明の第１の態様は、
光源部と、
前記光源部から発せられた光を入力画像データに基づいて変調することにより、画面に画像を表示する表示部と、
前記光源部を点灯する点灯制御を行う制御手段と、
を有し、
前記光源部は、前記点灯制御に応じた第１タイミングで第１色の光を発し、且つ、前記第１タイミングから所定時間だけ遅延した第２タイミングで第２色の光を発し、
前記点灯制御に応じて前記光源部が前記第１色の光を発する期間の少なくとも一部が他の点灯制御に応じて前記光源部が前記第２色の光を発する期間の少なくとも一部に重なるように、前記制御手段は前記所定時間に基づいて複数回の点灯制御を行う
ことを特徴とする表示装置である。
【００１０】
本発明の第２の態様は、
複数の光源部と、
前記複数の光源部から発せられた光を入力画像データに基づいて変調することにより、画像を表示する表示部と、
前記複数の光源部のそれぞれについて、前記光源部を点灯する点灯制御を行う制御手段と、
を有し、
前記複数の光源部のそれぞれは、前記点灯制御に応じた第１タイミングで第１色の光を発し、且つ、前記第１タイミングから所定時間だけ遅延した第２タイミングで第２色の光を発し、
前記複数の光源部のうちの第１光源部が前記第１色の光を発する期間の少なくとも一部が、前記複数の光源部のうちの、前記第１光源部に対応する画面領域へ漏れる光を発する第２光源部が前記第２色の光を発する期間の少なくとも一部に重なり、且つ、前記第１光源部が前記第２色の光を発する期間の少なくとも一部が、前記第２光源部が前記第１色の光を発する期間の少なくとも一部に重なるように、前記制御手段は前記所定時間に基づいて前記第１光源部に対する複数回の点灯制御と前記第２光源部に対する複数回の点灯制御とを行う
ことを特徴とする表示装置である。
【００１１】
本発明の第３の態様は、
光源部と、
前記光源部から発せられた光を入力画像データに基づいて変調することにより、画面に画像を表示する表示部と、
を有する表示装置の制御方法であって、
前記光源部を点灯する点灯制御を行う制御ステップを有し、
前記光源部は、前記点灯制御に応じた第１タイミングで第１色の光を発し、且つ、前記第１タイミングから所定時間だけ遅延した第２タイミングで第２色の光を発し、
前記制御ステップでは、前記点灯制御に応じて前記光源部が前記第１色の光を発する期間の少なくとも一部が他の点灯制御に応じて前記光源部が前記第２色の光を発する期間の少なくとも一部に重なるように、前記所定時間に基づいて複数回の点灯制御を行う
ことを特徴とする表示装置の制御方法である。
【００１２】
本発明の第４の態様は、
複数の光源部と、
前記複数の光源部から発せられた光を入力画像データに基づいて変調することにより、画像を表示する表示部と、
を有する表示装置の制御方法であって、
前記複数の光源部のそれぞれについて、前記光源部を点灯する点灯制御を行う制御ステップを有し、
前記複数の光源部のそれぞれは、前記点灯制御に応じた第１タイミングで第１色の光を発し、且つ、前記第１タイミングから所定時間だけ遅延した第２タイミングで第２色の光を発し、
前記制御ステップでは、前記複数の光源部のうちの第１光源部が前記第１色の光を発する期間の少なくとも一部が、前記複数の光源部のうちの、前記第１光源部に対応する画面領域へ漏れる光を発する第２光源部が前記第２色の光を発する期間の少なくとも一部に重なり、且つ、前記第１光源部が前記第２色の光を発する期間の少なくとも一部が、前記第２光源部が前記第１色の光を発する期間の少なくとも一部に重なるように、前記所定時間に基づいて前記第１光源部に対する複数回の点灯制御と前記第２光源部に対する複数回の点灯制御とを行う
ことを特徴とする表示装置の制御方法である。
【００１３】
本発明の第５の態様は、上述した表示装置の制御方法の各ステップをコンピュータに実行させるためのプログラムである。
【発明の効果】
【００１４】
本発明によれば、遅延発光型ＬＥＤなどを用いた場合における色割れの発生を抑制することができる。
【図面の簡単な説明】
【００１５】
【図１】実施例１に係る表示装置の構成例
【図２】実施例１に係る画面領域の一例
【図３】実施例１に係る遅延テーブルデータの一例
【図４】色割れが発生する制御方法の一例
【図５】実施例１に係る制御方法の一例
【図６】実施例２に係る画面領域の一例
【図７】実施例２に係る遅延テーブルデータの一例
【図８】色割れが発生する制御方法の一例
【図９】実施例２に係る制御方法の一例
【図１０】色割れが発生する制御方法の一例
【図１１】実施例３に係る制御方法の一例
【発明を実施するための形態】
【００１６】
＜実施例１＞
以下、本発明の実施例１について説明する。本実施例に係る表示装置は、光源部と、光源部から発せられた光を画像データに基づいて変調（透過、反射、等）することにより、画面に画像を表示する表示部と、を有する。例えば、本実施例に係る表示装置は、透過型の液晶表示装置、反射型の液晶表示装置、等である。本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。透過型の液晶表示装置では、光源部は、「バックライトユニット」などと呼ばれる。
【００１７】
［表示装置の構成］
図１は、本実施例に係る表示装置の構成例を示す。本実施例に係る表示装置は、表示部１０１、光源部１０２、遅延情報記憶部１０３、及び、光源制御部１０４を有する。
【００１８】
表示部１０１は、光源部１０２から発せられた光を入力画像データに基づいて変調することにより、画面に画像を表示する。入力画像データは、本実施例に係る表示装置に入力
された画像データである。具体的には、表示部１０１は、光源部１０２から発せられた光を、表示部１０１に入力された画像データに応じて変調する。入力画像データに所定の画像処理を施すことによって得られた画像データが表示部１０１に入力されてもよいが、本実施例では、入力画像データが、表示部１０１に入力される。表示部１０１は、例えば、液晶パネルである。
【００１９】
光源部１０２は、表示部１０１に光を照射する。例えば、本実施例に係る表示装置が透過型の液晶表示装置である場合には、光源部１０２は、表示部１０１の背面に光を照射し、本実施例に係る表示装置が反射型の液晶表示装置である場合には、光源部１０２は、表示部１０１の前面に光を照射する。光源部１０２は、光源部１０２を点灯する点灯制御が光源制御部１０４によって行われた場合に、当該点灯制御に応じた第１タイミングで第１色の光を発し、且つ、第１タイミングから所定時間（遅延時間）だけ遅延した第２タイミングで第２色の光を発する。第１色と第２色は特に限定されないが、本実施例では、第１色と第２色は、白色を構成する２つの色成分にそれぞれ対応する。具体的には、第１色はシアン色であり、第２色は赤色である。本実施例では、光源部１０２は、高演色型白色ＬＥＤ（遅延発光型ＬＥＤ）などの１つの発光素子である。
【００２０】
図２は、光源部１０２に対応する画面領域（画面の領域）２０１の一例を示す。画面領域２０１は、画面全体の領域である。そのため、光源部１０２の発光を制御することにより、画面全体に渡って光源部１０２から表示部１０１に照射される光を制御することができ、画面全体に渡って表示を制御することができる。
【００２１】
なお、光源部１０２は複数の発光素子を有していてもよい。例えば、光源部１０２は、第１色の光を発する発光素子と、第２色の光を発する発光素子との２種類の発光素子を有していてもよい。光源部１０２は、種類が等しい複数の発光素子を有していてもよい。また、発光素子はＬＥＤ（発光ダイオード）に限られない。例えば、発光素子として、有機ＥＬ素子、レーザ光源、冷陰極管、等が使用されてもよい。また、本実施例に係る表示装置は複数の光源部を有していてもよい。
【００２２】
遅延情報記憶部１０３は、光源部１０２の遅延情報を記憶する。光源部１０２の遅延情報は、光源部１０２がシアン色の光を発するタイミングから、光源部１０２が赤色の光を発するタイミングまでに要する時間を示す。即ち、光源部１０２の遅延情報は、光源部１０２の上記遅延時間を示す。遅延情報記憶部１０３としては、半導体メモリ、磁気ディスク、光ディスク、等が使用される。なお、遅延情報記憶部１０３は、表示装置に対して着脱可能な記憶装置であってもよい。
【００２３】
遅延情報のフォーマットは特に限定されないが、本実施例では、遅延情報記憶部１０３は、遅延情報を含むテーブルデータである遅延テーブルデータを記憶する。図３は、本実施例に係る遅延テーブルデータの一例を示す。図３において、「ｍ」は、光源部の垂直位置（垂直方向における位置）であり、「ｎ」は、光源部の水平位置（水平方向における位置）である。本実施例では、光源部１０２の位置（ｍ，ｎ）は、位置（０，０）である。そして、光源部１０２の遅延時間は１０ｍｓｅｃである。そのため、図３の遅延テーブルデータでは、位置（０，０）に遅延時間１０ｍｓｅｃが対応付けられている。
【００２４】
光源制御部１０４は、光源部１０２の発光を制御する。具体的には、光源制御部１０４は、光源制御信号Ｔを生成し、生成した光源制御信号Ｔを光源部１０２へ出力する。光源部１０２は、光源制御信号Ｔに応じた発光を行う。そのため、光源制御部１０４が光源制御信号Ｔを制御することにより、光源部１０２の発光が制御される。点灯制御のタイミングは特に限定されないが、本実施例では、入力画像データ（具体的には、表示部１０１に入力された画像データ）の各フレームについて、光源部１０２に対する複数回の点灯制御
が行われる（バックライトスキャン；黒挿入）。それにより、表示された動画における動画ぼけを低減することができる。詳細は後述するが、本実施例では、光源制御部１０４は、遅延情報記憶部１０３から遅延テーブルデータを読み出し、読み出した遅延テーブルデータ（光源部１０２の遅延時間）に基づいて、光源部１０２の発光を制御する。具体的には、光源制御部１０４は、光源部１０２の遅延時間と入力画像データの同期信号（垂直同期信号）とに基づいて、光源部１０２の発光を制御する。それにより、遅延発光型ＬＥＤなどを用いた場合であっても、表示された動画における移動物体の色割れの発生を抑制することができる。
【００２５】
［色割れの抑制方法］
まず、図４を用いて、上記色割れが発生する制御方法の例を説明する。図４の例では、入力画像データの１フレーム期間（入力画像データの垂直同期信号４０１が「Ｈｉｇｈ」である１つの期間）に、光源部１０２に対する１回の点灯制御が行われる。具体的には、垂直同期信号４０１が「Ｌｏｗ」から「Ｈｉｇｈ」に切り替わるタイミングで、光源部１０２の光源制御信号４０２が「Ｌｏｗ」から「Ｈｉｇｈ」に切り替えられる。そして、光源制御信号４０２＝「Ｈｉｇｈ」が維持され、光源制御信号４０２が「Ｈｉｇｈ」から「Ｌｏｗ」へ切り替えられる。光源制御信号４０２が「Ｈｉｇｈ」である１つの期間が、１回の点灯制御の期間である。
【００２６】
図４の例では、光源部１０２に対する点灯制御の期間に、光源部１０２は、シアン色の光を発する。図４において、符号４０３は、光源部１０２に対する１回目の点灯制御に応じて光源部１０２がシアン色の光を発しているシアン発光状態を示す。そして、シアン発光状態４０３の開始タイミングから光源部１０２の遅延時間４０５だけ遅延したタイミングで、光源部１０２は、赤色の発光を開始する。図４において、符号４０４は、光源部１０２に対する１回目の点灯制御に応じて光源部１０２が赤色の光を発している赤発光状態を示す。
【００２７】
図４の例では、シアン発光期間（シアン発光状態の期間）と赤発光期間（赤発光状態の期間）が互いに離れているため、シアン発光期間に光源部１０２から赤色の光は発せられず、赤発光期間に光源部１０２からシアン色の光は発せられない。そのため、シアン発光期間において、移動物体が、赤発光期間における色と異なる色で表示される。その結果、移動物体の色割れが発生する。
【００２８】
次に、図５を用いて、本実施例に係る制御方法について説明する。本実施例では、光源制御部１０４は、入力画像データの１フレーム期間に、光源部１０２に対する複数回の点灯制御を行う。１フレーム期間における点灯制御の回数は特に限定されないが、図５の例では、１フレーム期間に２回の点灯制御が行われる。そのため、図５の例では、光源部１０２の光源制御信号４１０が「Ｈｉｇｈ」である２つの期間が、１フレーム期間に対して設定される。１回の点灯制御の時間は特に限定されないが、図５の例では、図４の点灯制御の１つの期間を２つの期間に分けるため、１回の点灯制御の時間として図４の時間の１／２の時間が設定される。
【００２９】
図５において、符号４１１は、光源部１０２に対する３回目の点灯制御に応じて光源部１０２がシアン色の光を発しているシアン発光状態を示す。符号４１２は、光源部１０２に対する３回目の点灯制御に応じて光源部１０２が赤色の光を発している赤発光状態を示す。そして、符号４１３は、光源部１０２に対する４回目の点灯制御に応じて光源部１０２がシアン色の光を発しているシアン発光状態を示す。図５から、シアン発光期間が赤発光期間と完全に等しいことがわかる。例えば、シアン発光状態４１３の期間が赤発光状態４１２の期間と完全に等しいことがわかる。それにより、光源部１０２から発せられる光として、赤色の光とシアン色の光とを含む白色の光を常に得ることができる。その結果、
色割れの発生を抑制することができる。
【００３０】
このように、本実施例では、光源制御部１０４は、以下の条件１を満たすように、光源部１０２の発光を制御する。それにより、色割れの発生を抑制することができる。条件１を満たす発光の実現方法は特に限定されないが、図５の例では、光源制御部１０４は、光源部１０２の遅延時間４０５と略等しい時間間隔で複数回の点灯制御を行う。「略」は「完全」を含む。具体的には、光源制御部１０４は、光源部１０２に対する点灯制御の開始タイミングから遅延時間４０５だけ経過したタイミングで、光源部１０２に対する次の点灯制御を開始する。
条件１：点灯制御に応じて光源部が第１色の光を発する期間の少なくとも一部が、他の点灯制御に応じて当該光源部が第２色の光を発する期間の少なくとも一部に重なる。
【００３１】
なお、１フレーム期間における最初の点灯制御の開始タイミングは、１フレーム期間の開始タイミングからずれていてもよい。また、シアン発光期間は、点灯制御の期間からずれていてもよい。また、赤発光期間はシアン発光期間と完全に一致されなくてもよい。
【００３２】
［効果］
以上述べたように、本実施例によれば、上記条件１を満たすように光源部の発光が制御される。それにより、遅延発光型ＬＥＤなどを用いた場合であっても、表示された動画における移動物体の色割れの発生を抑制することができる。
【００３３】
＜実施例２＞
以下、本発明の実施例２について説明する。実施例１では、表示装置が１つの光源部を有する例を説明した。本実施例では、表示装置が複数の光源部を有する例を説明する。以下では、実施例１と異なる点（構成、処理、等）について詳しく説明し、実施例１と同じ点についての説明は省略する。
【００３４】
本実施例に係る表示装置の構成は、実施例１（図１）と同じである。但し、本実施例では、表示装置は、複数の光源部を有する。表示部１０１は、複数の光源部から発せられた光を入力画像データに基づいて変調することにより、画面に画像を表示する。遅延情報記憶部１０３は、複数の光源部のそれぞれの遅延情報を記憶する。そして、光源制御部１０４は、複数の光源部１０２のそれぞれの発光を個別に制御する。
【００３５】
本実施例では、複数の光源部に複数の画面領域（画面の領域）がそれぞれ対応付けられている。具体的には、複数の光源部に、画面全体の領域を構成する複数の分割領域がそれぞれ対応付けられている。光源部の数は特に限定されないが、本実施例では、表示装置が２つの光源部１，２を有し、２つの光源部１，２に２つの分割領域がそれぞれ対応付けられている。
【００３６】
図６は、２つの光源部１，２にそれぞれ対応する２つの画面領域（分割領域）６０１，６０２の一例を示す。本実施例では、２つの光源部１，２は垂直方向に並べられている。そして、画面の上半分の領域である画面領域６０１が光源部１に対応付けられており、画面の下半分の領域である画面領域６０２が光源部２に対応付けられている。
【００３７】
図７は、本実施例に係る遅延テーブルデータの一例を示す。本実施例では、光源部１の位置（ｍ，ｎ）は位置（０，０）であり、光源部２の位置（ｍ，ｎ）は位置（１，０）である。そして、光源部１の遅延時間も光源部２の遅延時間も１０ｍｓｅｃである。そのため、図７の遅延テーブルデータでは、位置（０，０），（１，０）に遅延時間１０ｍｓｅ
ｃが対応付けられている。なお、遅延時間が互いに異なる２つ以上の光源部が複数の光源部に含まれていてもよい。
【００３８】
［色割れの抑制方法］
表示装置が複数の光源部を有する場合には、或る光源部から発せられた光が他の光源部に対応する画面領域へ漏れることがある。そして、そのような光の漏れにより、色割れが発生することがある。
【００３９】
まず、図８を用いて、色割れが発生する制御方法の例を説明する。図８において、符号８０１は入力画像データの垂直同期信号を示し、符号８０２は光源部１の光源制御信号を示し、符号８０３は光源部２の光源制御信号を示す。図８の例では、入力画像データの１フレーム期間に、光源部１に対する１回の点灯制御と、光源部２に対する１回の点灯制御とが行われる。光源部２の点灯制御は、光源部１の点灯制御から遅れて行われる。そのため、１フレーム期間について、光源制御信号８０３が「Ｈｉｇｈ」である期間は、光源制御信号８０２が「Ｈｉｇｈ」である期間よりも後に設定される。
【００４０】
図８において、符号８０４は、光源部１に対する１回目の点灯制御に応じて光源部１がシアン色の光を発しているシアン発光状態を示し、符号８０５は、光源部１に対する１回目の点灯制御に応じて光源部１が赤色の光を発している赤発光状態を示す。そして、符号８０８は、光源部１の遅延時間を示す。そのため、赤発光状態８０５の開始タイミングは、シアン発光状態８０４の開始タイミングに対して遅延時間８０８だけ遅れる。同様に、符号８０６は、光源部２に対する１回目の点灯制御に応じて光源部２がシアン色の光を発しているシアン発光状態を示し、符号８０７は、光源部２に対する１回目の点灯制御に応じて光源部２が赤色の光を発している赤発光状態を示す。そして、符号８０９は、光源部２の遅延時間を示す。そのため、赤発光状態８０７の開始タイミングは、シアン発光状態８０６の開始タイミングに対して遅延時間８０９だけ遅れる。
【００４１】
そして、図８において、符号８１０は、シアン発光状態８０６で光源部２から発せられたシアン色の光が光源部１に対応する画面領域に漏れるシアン漏れ状態を示す。そして、符号８１１は、赤発光状態８０７で光源部２から発せられた赤色の光が光源部１に対応する画面領域に漏れる赤漏れ状態を示す。図８から、光源部１に対応する画面領域について、シアン色の光が表示部１０１に照射される期間と、赤色の光が表示部１０１に照射される期間とが互いに離れていることがわかる。ここで、シアン色の光が表示部１０１に照射される期間は、シアン発光状態８０４の期間とシアン漏れ状態８１０の期間である。赤色の光が表示部１０１に照射される期間は、赤発光状態８０５の期間と赤漏れ状態８１１の期間である。そのため、光源部１に対応する画面領域で色割れが発生する。
【００４２】
同様に、図８において、符号８１２は、シアン発光状態８０４で光源部１から発せられたシアン色の光が光源部２に対応する画面領域に漏れるシアン漏れ状態を示す。そして、符号８１３は、赤発光状態８０５で光源部１から発せられた赤色の光が光源部１に対応する画面領域に漏れる赤漏れ状態を示す。図８から、光源部２に対応する画面領域について、シアン色の光が表示部１０１に照射される期間と、赤色の光が表示部１０１に照射される期間とが互いに離れていることがわかる。ここで、シアン色の光が表示部１０１に照射される期間は、シアン発光状態８０６の期間とシアン漏れ状態８１２の期間である。赤色の光が表示部１０１に照射される期間は、赤発光状態８０７の期間と赤漏れ状態８１３の期間である。そのため、光源部２に対応する画面領域で色割れが発生する。
【００４３】
次に、図９を用いて、本実施例に係る制御方法について説明する。本実施例では、光源制御部１０４は、入力画像データの１フレーム期間に、光源部１に対する１回の点灯制御と、光源部２に対する１回の点灯制御とを行う。
【００４４】
図９において、符号８２１は光源部１の光源制御信号を示し、符号８２２は光源部２の光源制御信号を示す。符号８２３は、光源部１に対する２回目の点灯制御に応じて光源部１がシアン色の光を発しているシアン発光状態を示し、符号８２４は、光源部１に対する２回目の点灯制御に応じて光源部１が赤色の光を発している赤発光状態を示す。符号８２５は、光源部２に対する１回目の点灯制御に応じて光源部２が赤色の光を発している赤発光状態を示し、符号８２６は、光源部２に対する２回目の点灯制御に応じて光源部２がシアン色の光を発しているシアン発光状態を示す。符号８２７は、赤発光状態８２５で光源部２から発せられた赤色の光が光源部１に対応する画面領域に漏れる赤漏れ状態を示す。符号８２８は、シアン発光状態８２６で光源部２から発せられたシアン色の光が光源部１に対応する画面領域に漏れるシアン漏れ状態を示す。符号８２９は、シアン発光状態８２３で光源部１から発せられたシアン色の光が光源部２に対応する画面領域に漏れるシアン漏れ状態を示す。符号８３０は、赤発光状態８２４で光源部１から発せられた赤色の光が光源部２に対応する画面領域に漏れる赤漏れ状態を示す。
【００４５】
図９から、光源部１に対応する画面領域について、シアン色の光が表示部１０１に照射される期間が、赤色の光が表示部１０１に照射される期間と完全に等しいことがわかる。例えば、シアン発光状態８２３の期間が赤漏れ状態８２７の期間と完全に等しく、赤発光状態８２４の期間がシアン漏れ状態８２８の期間と完全に等しいことがわかる。それにより、光源部１に対応する画面領域について、表示部１０１に照射される光として、赤色の光とシアン色の光とを含む光を常に得ることができる。その結果、光源部１に対応する画面領域における色割れの発生を抑制することができる。
【００４６】
同様に、図９から、光源部２に対応する画面領域について、シアン色の光が表示部１０１に照射される期間が、赤色の光が表示部１０１に照射される期間と完全に等しいことがわかる。例えば、赤発光状態８２５の期間がシアン漏れ状態８２９の期間と完全に等しく、シアン発光状態８２６の期間が赤漏れ状態８３０の期間と完全に等しいことがわかる。それにより、光源部２に対応する画面領域について、表示部１０１に照射される光として、赤色の光とシアン色の光とを含む光を常に得ることができる。その結果、光源部２に対応する画面領域における色割れの発生を抑制することができる。
【００４７】
このように、本実施例では、光源制御部１０４は、以下の条件２−１，２−２を満たすように、光源部１，２の発光を制御する。それにより、色割れの発生を抑制することができる。条件２−１，２−２を満たす発光の実現方法は特に限定されない。図９の例では、光源制御部１０４は、光源部１に対する点灯制御と光源部２に対する点灯制御との時間間隔が遅延時間８０８，８０９と略一致するように、光源部１に対する複数回の点灯制御と光源部２に対する複数回の点灯制御とを行う。具体的には、光源制御部１０４は、光源部１に対する点灯制御の開始タイミングから遅延時間８０８だけ経過したタイミングで、光源部２に対する点灯制御を開始する。同様に、光源制御部１０４は、光源部２に対する点灯制御の開始タイミングから遅延時間８０９だけ経過したタイミングで、光源部１に対する点灯制御を開始する。
条件２−１：複数の光源部のうちの第１光源部が第１色の光を発する期間の少なくとも一部が、複数の光源部のうちの、第１光源部に対応する画面領域へ漏れる光を発する第２光源部が第２色の光を発する期間の少なくとも一部に重なる。
条件２−２：第１光源部が第２色の光を発する期間の少なくとも一部が、第２光源部が第１色の光を発する期間の少なくとも一部に重なる。
【００４８】
［効果］
以上述べたように、本実施例によれば、上記条件２−１，２−２を満たすように複数の光源部の発光が制御される。それにより、複数の光源部を用いた場合において、表示された動画における移動物体の色割れの発生を抑制することができる。なお、本実施例では、第１光源部と第２光源部が互いに隣接する場合の例を説明したが、これに限られない。第１光源部に隣接しない光源部から発せられた光が、第１光源部に対応する画面領域へ漏れることもある。そのような場合には、第１光源部に隣接しない上記光源部が、第２光源部として使用されてもよい。
【００４９】
＜実施例３＞
以下、本発明の実施例３について説明する。実施例２では、入力画像データの１フレーム期間に、複数の光源部のそれぞれについて１回の点灯制御が行われる例を説明した。本実施例では、入力画像データの１フレーム期間に、複数の光源部のそれぞれについて複数回の点灯制御が行われる例を説明する。以下では、実施例２と異なる点（構成、処理、等）について詳しく説明し、実施例２と同じ点についての説明は省略する。
【００５０】
［色割れの抑制方法］
本実施例では、入力画像データの１フレーム期間に、複数の光源部のそれぞれについて２回以上の所定回数の点灯制御が行われる。そのような場合には、実施例１の条件１を満たせなかったり、実施例２の条件２−１，２−２を満たせなかったりする。それにより、色割れが発生することがある。
【００５１】
まず、図１０を用いて、色割れが発生する制御方法の例を説明する。図１０において、符号１００１は入力画像データの垂直同期信号を示し、符号１００２は光源部１の光源制御信号を示し、符号１００３は光源部２の光源制御信号を示す。そして、符号１００４は光源部１の遅延時間を示し、符号１００５は光源部２の遅延時間を示す。
【００５２】
図１０の例では、入力画像データの１フレーム期間に、光源部１に対する２回の点灯制御と、光源部２に対する２回の点灯制御とが行われる。実施例１の条件１を考慮し、１フレーム期間において、光源部１に対する２回目の点灯制御は、光源部１に対する１回目の点灯制御の開始タイミングから遅延時間１００４だけ経過したタイミングで開始される。同様に、１フレーム期間において、光源部２に対する２回目の点灯制御は、光源部２に対する１回目の点灯制御の開始タイミングから遅延時間１００５だけ経過したタイミングで開始される。また、実施例１の条件２−１，２−２を考慮し、光源部１に対する点灯制御の開始タイミングから遅延時間１００４だけ経過したタイミングで、光源部２に対する点灯制御が開始される。
【００５３】
図１０において、符号１００６は、光源部１に対する３回目の点灯制御に応じて光源部１がシアン色の光を発しているシアン発光状態を示し、符号１００７は、光源部２に対する２回目の点灯制御に応じて光源部２が赤色の光を発している赤発光状態を示す。符号１００８は、赤発光状態１００７で光源部２から発せられた赤色の光が光源部１に対応する画面領域に漏れる赤漏れ状態を示す。そして、符号１００９は、シアン発光状態１００６で光源部１から発せられたシアン色の光が光源部２に対応する画面領域に漏れるシアン漏れ状態を示す。
【００５４】
図１０から、光源部１に対応する画面領域について、シアン発光状態１００６の期間に赤漏れ状態１００８の期間が重なっておらず、シアン発光状態１００６の期間において赤色の光が表示部１０１に照射されないことがわかる。そのため、光源部１に対応する画面領域で色割れが発生する。同様に、図１０から、光源部２に対応する画面領域について、赤発光状態１００７の期間にシアン漏れ状態１００９の期間が重なっておらず、赤発光状態１００７の期間においてシアン色の光が表示部１０１に照射されないことがわかる。そ
のため、光源部２に対応する画面領域で色割れが発生する。
【００５５】
次に、図１１を用いて、本実施例に係る制御方法について説明する。本実施例では、光源制御部１０４は、入力画像データの１フレーム期間に、光源部１に対する２回の点灯制御と、光源部２に対する２回の点灯制御とを行う。
【００５６】
図１１において、符号１０１１は光源部１の光源制御信号を示し、符号１０１２は光源部２の光源制御信号を示す。符号１０１３は、光源部１に対する３回目の点灯制御に応じて光源部１がシアン色の光を発しているシアン発光状態を示し、符号１０１４は、光源部１に対する３回目の点灯制御に応じて光源部１が赤色の光を発している赤発光状態を示す。符号１０１５は、光源部１に対する４回目の点灯制御に応じて光源部１がシアン色の光を発しているシアン発光状態を示し、符号１０１６は、光源部１に対する４回目の点灯制御に応じて光源部１が赤色の光を発している赤発光状態を示す。
【００５７】
符号１０１７は、光源部２に対する２回目の点灯制御に応じて光源部２が赤色の光を発している赤発光状態を示す。符号１０１８は、光源部２に対する３回目の点灯制御に応じて光源部２がシアン色の光を発しているシアン発光状態を示し、符号１０１９は、光源部２に対する３回目の点灯制御に応じて光源部２が赤色の光を発している赤発光状態を示す。符号１０２０は、光源部２に対する４回目の点灯制御に応じて光源部２がシアン色の光を発しているシアン発光状態を示す。
【００５８】
符号１０２１は、赤発光状態１０１７で光源部２から発せられた赤色の光が光源部１に対応する画面領域に漏れる赤漏れ状態を示す。符号１０２２は、シアン発光状態１０１８で光源部２から発せられたシアン色の光が光源部１に対応する画面領域に漏れるシアン漏れ状態を示す。符号１０２３は、赤発光状態１０１９で光源部２から発せられた赤色の光が光源部１に対応する画面領域に漏れる赤漏れ状態を示す。符号１０２４は、シアン発光状態１０２０で光源部２から発せられたシアン色の光が光源部１に対応する画面領域に漏れるシアン漏れ状態を示す。
【００５９】
符号１０２５は、シアン発光状態１０１３で光源部１から発せられたシアン色の光が光源部２に対応する画面領域に漏れるシアン漏れ状態を示す。符号１０２６は、赤発光状態１０１４で光源部１から発せられた赤色の光が光源部２に対応する画面領域に漏れる赤漏れ状態を示す。符号１０２７は、シアン発光状態１０１５で光源部１から発せられたシアン色の光が光源部２に対応する画面領域に漏れるシアン漏れ状態を示す。符号１０２８は、赤発光状態１０１６で光源部１から発せられた赤色の光が光源部２に対応する画面領域に漏れる赤漏れ状態を示す。
【００６０】
図１１から、光源部１に対応する画面領域について、シアン色の光が表示部１０１に照射される期間の少なくとも一部が、赤色の光が表示部１０１に照射される期間の少なくとも一部に常に重なることがわかる。例えば、シアン発光状態１０１３の期間は、赤漏れ状態１０２１の期間に重なる。赤発光状態１０１４の期間は、シアン発光状態１０１５の期間とシアン漏れ状態１０２２の期間とに重なる。そして、赤発光状態１０１６の期間は、赤漏れ状態１０２３の期間とシアン漏れ状態１０２４の期間とに重なる。それにより、光源部１に対応する画面領域について、表示部１０１に照射される光として、赤色の光とシアン色の光とを含む光を常に得ることができる。その結果、光源部１に対応する画面領域における色割れの発生を抑制することができる。
【００６１】
同様に、図１１から、光源部２に対応する画面領域について、シアン色の光が表示部１０１に照射される期間の少なくとも一部が、赤色の光が表示部１０１に照射される期間の少なくとも一部に常に重なることがわかる。例えば、赤発光状態１０１７の期間は、シア
ン漏れ状態１０２５の期間に重なる。シアン発光状態１０１８の期間は、赤漏れ状態１０２６の期間とシアン漏れ状態１０２７の期間とに重なる。そして、赤発光状態１０１９の期間は、シアン発光期間１０２０の期間と赤漏れ状態１０２８の期間とに重なる。それにより、光源部２に対応する画面領域について、表示部１０１に照射される光として、赤色の光とシアン色の光とを含む光を常に得ることができる。その結果、光源部２に対応する画面領域における色割れの発生を抑制することができる。
【００６２】
このように、本実施例では、光源制御部１０４は、以下の条件３−１，３−２を満たすように、光源部１，２の発光を制御する。それにより、色割れの発生を抑制することができる。条件３−１，３−２を満たす発光の実現方法は特に限定されない。図１１の例では、光源制御部１０４は、光源部１に対する点灯制御と光源部２に対する点灯制御との時間間隔が遅延時間１００４，１００５と略一致するように、光源部１，２の発光を制御する。さらに、光源制御部１０４は、光源部１に対するＭ＋１回目（Ｍは偶数）の点灯制御の開始タイミングから遅延時間１００５と略等しい時間だけ遡ったタイミングで光源部２に対するＭ回目の点灯制御が行われるように、光源部１，２の発光を制御する。
条件３−１：第１光源部が第１色の光を発する期間の少なくとも一部が、第２光源部が第２色の光を発する期間の少なくとも一部に重なる。または、第１光源部に対する点灯制御に応じて第１光源部が第１色の光を発する期間の少なくとも一部が、第１光源部に対する他の点灯制御に応じて第１光源部が第２色の光を発する期間の少なくとも一部に重なる。
条件３−２：第１光源部が第２色の光を発する期間の少なくとも一部が、第２光源部が第１色の光を発する期間の少なくとも一部に重なる。または、第１光源部に対する点灯制御に応じて第１光源部が第２色の光を発する期間の少なくとも一部が、第１光源部に対する他の点灯制御に応じて第１光源部が第１色の光を発する期間の少なくとも一部に重なる。
【００６３】
［効果］
以上述べたように、本実施例によれば、上記条件３−１，３−２を満たすように複数の光源部の発光が制御される。それにより、複数の光源部を用いた場合において、表示された動画における移動物体の色割れの発生をより確実に抑制することができる。
【００６４】
なお、実施例２，３では、第１光源部に対応する画面領域において、第１光源部から発せられた光と、第２光源部から漏れ込んだ光とを合成した合成光が、表示部に照射される。そして、第１光源部に対応する画面領域において、第１色の光の輝度と第２色の光の輝度の違いなどにより、所望の色（白色など）の合成光が表示部に照射されないことがある。そのため、光源制御部は、合成光における第１色の光と第２色の光との割合が略一定に保たれるように、第１光源部の発光（瞬間的な発光強度、点灯時間、等）と第２光源部の発光との少なくとも一方を制御してもよい。それにより、第１光源部に対応する画面領域において、所望の色の合成光を表示部に照射することができ、色割れの発生をより抑制することができる。第２光源部に対応する画像領域についても同様である。
【００６５】
なお、入力画像データのフレームレートなどによっては、実施例１〜３の条件を満たせないことがある。そのため、表示装置は、実施例１〜３のいずれかの条件が満たされるように、入力画像データのフレームレートを変換してもよい。
【００６６】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい
。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００６７】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００６８】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６９】
１，２，１０２：光源部  １０１：表示部  １０４：光源制御部
【図１】
2018132692.tif 000003
【図２】
2018132692.tif 000004
【図３】
2018132692.tif 000005
【図４】
2018132692.tif 000006
【図５】
2018132692.tif 000007
【図６】
2018132692.tif 000008
【図７】
2018132692.tif 000009
【図８】
2018132692.tif 000010
【図９】
2018132692.tif 000011
【図１０】
2018132692.tif 000012
【図１１】
2018132692.tif 000013